(57)【要約】【課題】油圧エレベータを電動のロープ式マシンルームレスエレペータヘリニューアルする際、残存機器エリアを有効活用して昇降路内に作業足場を設置することで、新たな作業スペースを確保し、リニューアル工事における作業性の向上、及びリニューアル工事後の保守作業における作業性、安全性の改善を図ることができるエレベータ設備を提供する。【解決手段】乗りかご１の昇降駆動方式を油圧式から巻上機を有するロープ方式にリニューアルしたエレベータ装置であって、乗りかご１の外側面とこれに対向する昇降路内壁面との間の、上方から見た投影空間の一方に寄せられて、前記油圧方式で用いられた油圧シリンダー２が立設状態で残存設置されており、この投影空間の他方に釣合錘８及びそのガイドレール９が設置されており、前記投影空間の前記油圧シリンダー２が設置された上方の、前記乗りかご１及び釣合錘８の各昇降動作に干渉しない部分に、作業足場５が設けられている．【選択図】図１
2011042493.tif 000002
【特許請求の範囲】
【請求項１】
乗りかごの昇降駆動方式を油圧式から巻上機を有するロープ方式にリニューアルしたエレベータ装置であって、
乗りかごの外側面とこれに対向する昇降路内壁面との間の、上方から見た投影空間の一方に寄せられて、前記油圧方式で用いられた油圧シリンダーが立設状態で残存設置されており、この投影空間の他方に釣合錘及びそのガイドレールが設置されており、
前記投影空間の前記油圧シリンダーが設置された上方の、前記乗りかご及び釣合錘の各昇降動作に干渉しない部分に、作業足場が設けられている
ことを特徴とするエレベータ設備。
【請求項２】
前記作業足場に、前記昇降路内のピットへ通じる梯子が設置されていることを特徴とする請求項１に記載のエレベータ設備。
【請求項３】
前記作業足場は、昇降路内の、前記乗りかご及び釣合錘の各昇降動作に干渉しない上方から見た投影空間内において昇降可能に構成され、前記油圧シリンダーに対する油圧システムにより前記油圧シリンダーのプランジャーを上下駆動させ、その上部に設けられた前記作業足場を前記投影空間内において昇降させることを特徴とする請求項１又は請求項２に記載のエレベータ設備。
【請求項４】
前記作業足場は、昇降路内の、前記乗りかご及び釣合錘の各昇降動作に干渉しない上方から見た投影空間内において昇降可能に構成され、かつ、前記乗りかごと連結可能に構成されており、この乗りかごとの連結により、前記投影空間内において乗りかごと共に昇降可能なことを特徴とする請求項１又は請求項２に記載のエレベータ設備。
【発明の詳細な説明】
【技術分野】
【０００１】
本発明は、既設の油圧エレベータを、巻上機を用いたロープ式のマシンルームレスエレベータとしてリニューアルしたエレベータ設備に関する。
【背景技術】
【０００２】
従来、比較的階床数の少ない低層構造のマンションなどには、昇降路の上方に機械室を設ける必要の無い油圧式のエレベータが用いられていた。この油圧式エレベータは、昇降路内に、乗りかごをガイドレールにより昇降可能に設置しており、この乗りかごの一側面（例えば、背面）と昇降路の内壁との空間に立設した油圧ジャッキを用いて、乗りかごを昇降駆動するものである。この油圧ジャッキは、油圧により上下動するプランジャーを有し、このプランジャーの先端に設けられた滑車（プランジヤーシーブ）にロープを巻き掛け、このロープの一端は乗りかごのロープヒッチに接続し、他端は油圧ジャッキの下部基体部に接続している。したがって、油圧ジャッキのプランジャーが上昇することにより、その先端の滑車に巻き掛けられたロープの一端も上昇し、乗りかごを引き上げて上昇させる。
【０００３】
しかしながら、油圧エレベータは乗りかごの重量が油圧ジャッキに直接的に加わるため、乗りかごを上昇させるためには大きな動力が必要となる。また、油タンクや配管などが必要であり、これらの取り扱いは煩わしい。
【０００４】
これに対し、巻上機を用いるロープ式のエレベータであっても、昇降路上に機械室が突出することの無い、所謂マシンルームレスのエレベータが用いられるようになっており、季節の油圧式のエレベータを、巻上機を有するマシンルームレスのロープ式エレベータにリニューアルすることが行われている（例えば、特許文献1参照）。
【先行技術文献】
【特許文献】
【０００５】
【特許文献１】特開２００３−３４４７４号公報
【発明の概要】
【発明が解決しようとする課題】
【０００６】
既設の油圧エレベータをロープ式マシンルームレスタイプのエレベータにリニューアルする場合、エレペータのロービングが２：１になるため、昇降路内部に電動巻上機、カウンターウエート、かご下シーブ等を新たに設ける必要があり、昇降路内部における作業スペースが従来に対し制限される。
【０００７】
また、油圧システムにおいて乗りかごを上下に駆動していた油圧シリンダー、プランジャー、プランジャー頂部のプランジヤーシーブは、駆動システム変更により、不要となるが、解体し撤去するには工事期間として２日程度必要とし、リニューアル工事長期化の要因となっている。このため、油圧シリンダー、プランジャー、プランジャー頂部のプランジャーシーブは昇降路内に残す形になり、昇降路内部における作業スペースが制限される要因になっている。また、リニューアル工事後のエレペータ保守点検作業においてもリニューアルに伴う昇降路内作業スペースの制限は、作業性、安全性の低下の要因になる。
【０００８】
本発明の目的は、油圧エレベータを電動のロープ式マシンルームレスエレペータヘリニューアルする際、残存機器エリアを有効活用して昇降路内に作業足場を設置することで、新たな作業スペースを確保し、リニューアル工事における作業性の向上、及びリニューアル工事後の保守作業における作業性、安全性の改善を図ることができるエレベータ設備を提供することにある。
【課題を解決するための手段】
【０００９】
本発明によるエレベータ設備は、乗りかごの昇降駆動方式を油圧式から巻上機を有するロープ方式にリニューアルしたエレベータ装置であって、乗りかごの外側面とこれに対向する昇降路内壁面との間の、上方から見た投影空間の一方に寄せられて、前記油圧方式で用いられた油圧シリンダーが立設状態で残存設置されており、この投影空間の他方に釣合錘及びそのガイドレールが設置されており、前記投影空間の前記油圧シリンダーが設置された上方の、前記乗りかご及び釣合錘の各昇降動作に干渉しない部分に、作業足場が設けられていることを特徴とする。
【００１０】
本発明は、前記作業足場に、前記昇降路内のピットへ通じる梯子が設置されている構成でもよい。
【００１１】
本発明では、前記作業足場は、昇降路内の、前記乗りかご及び釣合錘の各昇降動作に干渉しない上方から見た投影空間内において昇降可能に構成され、前記油圧シリンダーに対する油圧システムにより前記油圧シリンダーのプランジャーを上下駆動させ、その上部に設けられた前記作業足場を前記投影空間内において昇降させるようにしてもよい。
【００１２】
さらに本発明では、前記作業足場は、昇降路内の、前記乗りかご及び釣合錘の各昇降動作に干渉しない上方から見た投影空間内において昇降可能に構成され、かつ、前記乗りかごと連結可能に構成されており、この乗りかごとの連結により、前記投影空間内において乗りかごと共に昇降可能なように構成してもよい。
【発明の効果】
【００１３】
本発明によれば、油圧エレベータをロープ式マシンルームレスエレペータヘのリニューアルする場合、既設の油圧シリンダー、プランジヤー、プランジヤーシーブを解体することなく、油圧システムを駆動しなくなったことで発生する昇降路内スペースに作業足場を設けたことにより、リニューアル工事における新たな作業スペースとして有効活用するとともに、リニューアル工事後の保守作業にも使用でき、これらの作業性、安全性の改善を図ることができる。
【図面の簡単な説明】
【００１４】
【図１】本発明のエレベータ設備の一実施の形態を説明する側面図である。
【図２】同上一実施の形態の平面図である。
【図３】本発明のエレベータ設備の、作業足場にピットへの移動用梯子を設けた実施の形態を示す側面図である。
【図４】本発明のエレベータ設備の、作業足場を既設の油圧システムにより昇降させる実施の形態を示す側面図である。
【図５】本発明のエレベータ設備の、作業足場をリニューアルされた巻上機によりロープ式で昇降させる実施の形態を示す側面図である。
【図６】図５で示した実施の形態の平面図である。
【発明を実施するための形態】
【００１５】
以下、本発明によるエレベータ設備の一実施の形態について、図面を用いて詳細に説明する。
【００１６】
図１及び図２は、油圧エレベータを、巻上機を有するロープ式マシンルームレスタイプのエレベータにリニューアルしたエレベータ設備の側面図及び平面図である。なお、図１は、図２で示したエレベータ設備を、左側面から投影して示している。
【００１７】
図１及び図２において、昇降路１００内には、エレベータの乗りかご１が、その両側に設けられたガイドレール７により昇降可能に支持されている。この乗りかご１の外側面（図１の左側面、図２の背面）と、これに対向する昇降路１００の内壁面との間の、上方から見た投影空間には、その一方（図２の左方）に寄せられて、油圧シリンダー２が立設状態で残存設置されている。この油圧シリンダー２は、リニューアル前の油圧方式で用いられたもので、油圧により上下動するプランジャー３及びこのプランジャー３の先端に設けられたプランジャーシーブ４を有する。これら油圧シリンダー２、プランジヤー３、及びプランジヤーシーブ４は、ロープ式マシンルームレスタイプエレベータ機器構成にリニューアルすることでシステム上不要となる。したがって、油圧シリンダー２内にプランジャー３の大部分が収まった最下位置で残存設置されている。
【００１８】
また、この投影空間の他方（図２の右方）には、駆動方式をロープ式にリニューアルしたことにより必要となる釣合錘８及びそのガイドレール９が新たに設置されている。なお、ロープ式にリニューアルしたことにより必要となる巻上機は、昇降路内の上部に設けられるが、図示は省略している。
【００１９】
さらに、前記投影空間の、油圧シリンダー２が残存設置された上方には作業足場５及びその周囲を囲む手摺６が設置されている。この作業足場５は、油圧シリンダー２のプランジャー３頂部に設けられたプランジャーシーブ４上に水平状態で取り付けられる。また、この作業足場５は、乗りかご１及び釣合錘８の昇降動作に干渉しない部分に配置されている。すなわち、作業足場５は、乗りかご１，乗りかごガイドレール７、釣合錘８、及びそのレール９の近傍で、乗りかご１の昇降動作に影響の無いスペースに設置される。作業足場５への移動は、乗りかご１上から乗り移ることで可能となる。すなわち。最下階より上部の階床で、ロープ式マシンルームレスエレペータの駆動方式に切替えられた乗りかご１のかご上に乗り、この乗りかご１を低速の点検運転速度で、乗りかご１の上面が作業足場近くに位置するまで下降させ、この下降位置で乗りかご１のかご上から、作業足場５上に移動すればよい。
【００２０】
この作業足場５は、昇降路内の最下位置近くに設置されているので、作業足場５上の作業員の転落などに対する安全性は充分確保できる。また、リニューアル工事中では、各種の昇降路内作業を作業足場５上で実施できるので、作業性が向上する。さらにリニューアル後においても、作業者が安全な状態で昇降路１００内に居ることができるので、昇降路１００内に設けられた機器や、乗りかご１の外回りに設けられた各種機器の点検にも活用でき、これらの作業性及び安全性を向上させることができる。
【００２１】
図３は作業足場５に、昇降路１００内のピットへ降りるための梯子１０を設置した実施の形態を示している。
【００２２】
これまで、乗りかご１の下部に設置される機器の設置作業や調整作業を行う場合、乗りかご１を、最下階又は最下階より１ｍ程度上に上げた状態で停止させる。このため、最下階の乗り場からピットへの移動手段であるピット梯子が使用できなった。図３の実施の形態では、作業足場５に梯子１０を設置したので、乗りかご１を最下階近くに停止させた場合でも、作業足場５から梯子１０を使うことにより、昇降路ピットへの移動が可能となる。また、昇降路１００内の下部の、乗りかご１のガイドレール７に沿って設置された各種機器近傍への移動は難しかったが、梯子１０を使って昇降路ピットへ移動することにより、ガイドレール７上に設置されている、乗りかご１が最下階附近に達すると動作するリミットスイッチ１３や、乗りかご１側面部分に設置されているかご下ローラーガイド１１、セフティーブロック１２等の機器近傍への移動が可能となり、これらを容易に点検または修理することができる。
【００２３】
次に、図４で示す実施の形態を説明する。この実施の形態では、作業足場５は、昇降路１００内の、乗りかご１及び釣合錘８の昇降動作に干渉しない上方から見た投影空間内に、昇降可能に構成している。また、既設の機械室１４内に設置されている油圧ユニット１５、油圧制御盤１６及び油圧シリンダー２への油圧配管１７、プランジャーガイドレール１８が設置してある状態において、油圧シリンダー２に対する油圧システムが駆動可能であれば、油圧シリンダー２のプランジャー３を油圧で上下駆動させ、そのプランジャーシーブ４の上部に設けられた作業足場５を、昇降路１００内の前記投影空間内において昇降させる。
【００２４】
このように、油圧駆動システムによりプランジヤーシーブ４上に設置した作業足場５を上下に駆動させるので、リニューアル工事期間中に、ロープ式への駆動方式切替前でも、作業足場５を、その駆動範囲において任意の高さに移動することができ、任意の高さでの作業場所確保が可能になる。
【００２５】
次に図５及び図６で示す実施の形態を説明する。この実施の形態は、作業足場５の駆動に、リニユーアル後のロープ式駆動方式を使用したものである。この実施の形態でも、作業足場５は、昇降路１００内の、乗りかご１及び釣合錘８の昇降動作に干渉しない上方から見た投影空間内に、昇降可能に構成されている。また、この作業足場５は、乗りかご１のヒッチ部１９と、着脱可能な固定冶具２０により連結可能に構成されている。昇降路１００内の上部にはロープ式マシンルームレスタイプのエレペータにリニユーアルするために電動式の巻上機２１が設けられており、その駆動シーブには、この乗りかご１及び釣合錘８に対して２：１のローピングを構成する吊支持用のロープが巻き掛けられている。したがって、乗りかご１は、巻上機２１の運転に伴い、釣合錘８と釣瓶状に昇降動作する。また、この乗りかご１と作業足場５とが連結されていれば、乗りかご１の昇降に伴い、作業足場５も、前記投影空間内において乗りかご１と共に昇降動作する。
【００２６】
したがって、リニューアル後においても、作業足場５の駆動範囲において任意の場所での作業場所の確保が可能になる。また、固定冶具２０は着脱可能な構造であるため、作業足場５の上下駆動を状況により選択できる。
【符号の説明】
【００２７】
１…乗りかご
２…油圧シリンダー
３…プランジャー
４…プランジャーシーブ
５…作業足場
６…手摺
７…乗りかご用ガイドレール
８…釣合錘
９…釣合錘用ガイドレール
１０…梯子
１５…油圧ユニット
１００…昇降路
【図１】
2011042493.tif 000003
【図２】
2011042493.tif 000004
【図３】
2011042493.tif 000005
【図４】
2011042493.tif 000006
【図５】
2011042493.tif 000007
【図６】
2011042493.tif 000008